【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
外部と通信を行うための通信手段と、
を備える放射線画像撮影装置と、
前記放射線画像撮影装置と通信可能なコンソールと、
を備え、
前記放射線画像撮影装置の前記制御手段は、放射線が照射されない状態で前記放射線検出素子ごとにオフセットデータを読み出すオフセットデータの読み出し処理を行い、読み出した前記オフセットデータを前記コンソールに送信し、
前記コンソールは、
前記放射線画像撮影装置から前記オフセットデータが送信されてくると、
前記放射線画像撮影装置の前記信号線ごと、または前記走査線ごとに、前記オフセットデータの統計値を算出し、
ある前記信号線について算出した前記オフセットデータの統計値と他の前記信号線について算出した前記オフセットデータの統計値との相違が許容範囲を越える前記信号線が存在する場合、または、ある前記走査線について算出した前記オフセットデータの統計値と他の前記走査線について算出した前記オフセットデータの統計値との相違が許容範囲を越える前記走査線が存在する場合に、当該放射線画像撮影装置で断線が生じていると判定することを特徴とする放射線画像撮影システム。
【請求項２】
前記コンソールは、
前記オフセットデータの統計値として、前記放射線画像撮影装置の前記信号線ごとに前記オフセットデータの標準偏差または分散を算出し、
算出した前記オフセットデータの標準偏差または分散が、他の前記信号線について算出した前記オフセットデータの標準偏差または分散と比較した際に、許容範囲を越えて小さい前記信号線が存在する場合に、当該放射線画像撮影装置で断線が生じていると判定することを特徴とする請求項１に記載の放射線画像撮影システム。
【請求項３】
前記コンソールは、
前記放射線画像撮影装置の前記信号線ごとに算出した前記オフセットデータの標準偏差または分散の中から平均値または中央値のいずれか一方と最小値とをそれぞれ抽出し、
前記信号線ごとの前記オフセットデータの標準偏差または分散の最小値の、前記信号線ごとの前記オフセットデータの標準偏差または分散の平均値または中央値に対する比が、設定された閾値未満である前記信号線が存在する場合に、当該放射線画像撮影装置で断線が生じていると判定することを特徴とする請求項２に記載の放射線画像撮影システム。
【請求項４】
前記コンソールは、前記放射線画像撮影装置の前記信号線ごとに前記オフセットデータの標準偏差または分散を算出する際に、当該信号線を複数の区分に分け、前記区分ごとに前記オフセットデータの標準偏差または分散を算出し、算出した前記区分ごとの前記オフセットデータの標準偏差または分散の平均値または中央値を、当該信号線の前記オフセットデータの標準偏差または分散として算出することを特徴とする請求項２または請求項３に記載の放射線画像撮影システム。
【請求項５】
前記コンソールは、
前記放射線検出素子ごとの前記オフセットデータと、前記放射線画像撮影装置で断線が生じる前または断線が生じた後に当該放射線画像撮影装置で放射線が照射されない状態で読み出された前記放射線検出素子ごとの第２のオフセットデータとの差分を前記放射線検出素子ごとにそれぞれ算出し、
前記オフセットデータの代わりに、前記差分を対象として、当該放射線画像撮影装置で断線が生じているか否かを判定することを特徴とする請求項２から請求項４のいずれか一項に記載の放射線画像撮影システム。
【請求項６】
前記コンソールは、
前記オフセットデータの統計値として、前記放射線画像撮影装置の前記走査線ごとに前記オフセットデータの平均値または中央値を算出し、
算出した前記オフセットデータの平均値または中央値が、他の前記走査線について算出した前記オフセットデータの平均値または中央値と比較した際に、許容範囲を越える前記走査線が存在する場合に、当該放射線画像撮影装置で断線が生じていると判定することを特徴とする請求項１から請求項５のいずれか一項に記載の放射線画像撮影システム。
【請求項７】
前記コンソールは、
前記放射線画像撮影装置の前記走査線ごとに算出した前記オフセットデータの平均値または中央値の中から最小値または最大値と、前記走査線ごとの前記オフセットデータの平均値または中央値の平均値または中央値とをそれぞれ抽出し、
前記走査線ごとの前記オフセットデータの平均値または中央値の最小値の、前記走査線ごとの前記オフセットデータの平均値または中央値の平均値または中央値に対する差が、設定された閾値未満である前記走査線が存在する場合、または、前記走査線ごとの前記オフセットデータの平均値または中央値の最大値の、前記走査線ごとの前記オフセットデータの平均値または中央値の平均値または中央値に対する差が、設定された閾値を越える前記走査線が存在する場合に、当該放射線画像撮影装置で断線が生じていると判定することを特徴とする請求項６に記載の放射線画像撮影システム。
【請求項８】
前記コンソールは、
ある前記走査線について算出した前記オフセットデータの平均値または中央値と、当該走査線から所定範囲内にある前記走査線について算出した前記オフセットデータの平均値または中央値の移動平均との差を算出し、
算出した前記差の絶対値が、設定された閾値を越える前記走査線が存在する場合に、当該放射線画像撮影装置で断線が生じていると判定することを特徴とする請求項６に記載の放射線画像撮影システム。
【請求項９】
前記コンソールは、
前記放射線検出素子ごとの前記オフセットデータと、前記放射線画像撮影装置で断線が生じる前に当該放射線画像撮影装置で放射線が照射されない状態で読み出された前記放射線検出素子ごとの第２のオフセットデータとの差分を前記放射線検出素子ごとにそれぞれ算出し、
前記オフセットデータの代わりに、前記差分を対象として、当該放射線画像撮影装置で断線が生じているか否かを判定することを特徴とする請求項６から請求項８のいずれか一項に記載の放射線画像撮影システム。
【請求項１０】
前記コンソールは、前記放射線画像撮影装置の１本の前記信号線ごと、または１本の前記走査線ごとに算出した前記オフセットデータの統計値の代わりに、前記放射線画像撮影装置の複数本の前記信号線ごと、または複数本の前記走査線ごとに算出した前記オフセットデータの統計値を対象として、当該放射線画像撮影装置で断線が生じているか否かを判定することを特徴とする請求項１から請求項９のいずれか一項に記載の放射線画像撮影システム。
【請求項１１】
前記放射線画像撮影装置は、衝撃を検知する衝撃検知手段を備え、
前記放射線画像撮影装置の前記制御手段は、前記衝撃検知手段が衝撃を検知した時点で、前記オフセットデータの読み出し処理を開始することを特徴とする請求項１から請求項１０のいずれか一項に記載の放射線画像撮影システム。
【請求項１２】
前記コンソールは、前記放射線画像撮影装置で断線が生じていると判定すると、自ら前記放射線画像撮影装置で断線が生じている可能性があることを報知し、および／または外部の報知手段により前記放射線画像撮影装置で断線が生じている可能性があることを報知させることを特徴とする請求項１から請求項１１のいずれか一項に記載の放射線画像撮影システム。
【請求項１３】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
を備え、
前記制御手段は、
放射線が照射されない状態で前記放射線検出素子ごとにオフセットデータを読み出すオフセットデータの読み出し処理を行い、
前記信号線ごと、または、前記走査線ごとに前記オフセットデータの統計値を算出し、
ある前記信号線について算出した前記オフセットデータの統計値と他の前記信号線について算出した前記オフセットデータの統計値との相違が許容範囲を越える前記信号線が存在する場合、または、ある前記走査線について算出した前記オフセットデータの統計値と他の前記走査線について算出した前記オフセットデータの統計値との相違が許容範囲を越える前記走査線が存在する場合に、断線が生じていると判定することを特徴とする放射線画像撮影装置。
【請求項１４】
前記制御手段は、断線が生じていると判定すると、当該放射線画像撮影装置に、および／または外部の報知手段に、当該放射線画像撮影装置で断線が生じている可能性があることを報知させることを特徴とする請求項１３に記載の放射線画像撮影装置。